(57)【要約】【課題】本発明は、対象物の着脱作業を容易に行うことができるとともに被取付面から剥がれ落ちにくい構造の取付フックを提供すること。【解決手段】装飾用フック（取付フック）１０は、ドア本体３の表面（被取付面）７に取り付け可能な本体部２０と、リース（対象物）１１の引っ掛けリング１３を通す開放部３１０を有するように本体部２０から延びるフック部３０と、本体部２０に取り付けられ、開放部３１０を閉じる閉鎖位置と開放部３１０を開放する開放位置との間をドア本体３の表面７に沿ってスライド移動可能な蓋部５０と、を備える。【選択図】図３
2018096431.tif 000002
【特許請求の範囲】
【請求項１】
被取付面に取り付けられ、対象物を引っ掛けて保持する取付フックであって、
前記被取付面に取り付け可能な本体部と、
前記対象物を通す開放部を有するように前記本体部から延びるフック部と、
前記本体部に取り付けられ、前記開放部を閉じる閉鎖位置と前記開放部を開放する開放位置との間を前記被取付面に沿ってスライド移動可能な蓋部と、
を備える取付フック。
【請求項２】
前記蓋部を前記開放位置で保持する開放位置用ストッパを備える請求項１に記載の取付フック。
【請求項３】
前記開放位置用ストッパは、
前記本体部及び前記蓋部の一方に設けられる一対のスライド溝と、
前記本体部及び前記蓋部の他方に設けられ、前記スライド溝に嵌合する一対の爪部と、
を有し、
前記スライド溝は、前記開放位置で前記蓋部が前記爪部を介してスライド方向に交差する方向で押し広げられるように、その溝深さが設定される請求項２に記載の取付フック。
【請求項４】
前記蓋部及び前記フック部を前記閉鎖位置で係合する閉鎖位置用ストッパを備える請求項１から３の何れかに記載の取付フック。
【請求項５】
前記蓋部は、前記閉鎖位置で前記フック部の前面を覆うように形成される請求項１から４の何れかに記載の取付フック。
【発明の詳細な説明】
【技術分野】
【０００１】
本発明は、ドアや壁等の被取付面に取り付けられ、対象物を引っ掛けて保持する取付フックに関する。
【背景技術】
【０００２】
従来、ドア等の建具にリース等の装飾物を引っ掛ける取付フックを用いることがある。この種の取付フックを開示するものとして例えば特許文献１がある。特許文献１には、ドアスコープ本体の表面側に位置する一方端部と裏面側に位置する他方端部との少なくとも一方に設けられ、物体を引掛け可能とされる引掛部と、該引掛部に設けられ、物体の引掛部からの離脱を阻止するストッパ部と、を備える構成について記載されている。
【先行技術文献】
【特許文献】
【０００３】
【特許文献１】実開平５−７５７２２号公報
【発明の概要】
【発明が解決しようとする課題】
【０００４】
取付フックは、引っ掛けた対象物の脱落を防止する構造を備えることが好ましい。この点、特許文献１に記載されるドアスコープは、引掛部からの離脱を阻止するストッパ部を備えている。しかしながら、特許文献１に記載される構造は、ドアスコープに引掛部を事前に取り付けておく必要がある上、ストッパ部を強く押し込んで弾性変形させた状態を維持しながら対象物の着脱を行う必要があり、作業性が良くなかった。また、特許文献１の構成の取付フックの部分だけをドアに取り付ける方法も考えられるが、この種の構造ではストッパ部を押し込んだときに取付フックをドアから引き剥がす力が作用し、取付フック自体がドアから剥がれ落ちるおそれがある。
【０００５】
本発明は、対象物の着脱作業を容易に行うことができるとともに被取付面から剥がれ落ちにくい構造の取付フックを提供することを目的とする。
【課題を解決するための手段】
【０００６】
本発明は、被取付面（例えば、後述の表面７）に取り付けられ、対象物（例えば、後述のリース１１）を引っ掛けて保持する取付フック（例えば、後述の装飾用フック１０）であって、前記被取付面に取り付け可能な本体部（例えば、後述の本体部２０）と、前記対象物を通す開放部（例えば、後述の開放部３１０）を有するように前記本体部から延びるフック部と、（例えば、後述のフック部３０）と、前記本体部に取り付けられ、前記開放部を閉じる閉鎖位置と前記開放部を開放する開放位置との間を前記被取付面に沿ってスライド移動可能な蓋部（例えば、後述の蓋部５０）と、を備える取付フックに関する。
【０００７】
前記取付フックは、前記蓋部を前記開放位置で保持する開放位置用ストッパ（例えば、後述のスライド溝２５及び爪部５５）を備えることが好ましい。
【０００８】
前記開放位置用ストッパは、前記本体部及び前記蓋部の一方に設けられる一対のスライド溝（例えば、後述のスライド溝２５）と、前記本体部及び前記蓋部の他方に設けられ、前記スライド溝に嵌合する一対の爪部（例えば、後述の爪部５５）と、を有し、前記スライド溝は、前記開放位置で前記蓋部が前記爪部を介してスライド方向に交差する方向で押し広げられるように、その溝深さが設定されることが好ましい。
【０００９】
前記取付フックは、前記蓋部及び前記フック部を前記閉鎖位置で係合する閉鎖位置用ストッパ（例えば、後述の嵌合突起３３及び嵌合穴５７）を備えることが好ましい。
【００１０】
前記蓋部は、前記閉鎖位置で前記フック部の前面を覆うように形成されることが好ましい。
【発明の効果】
【００１１】
本発明によれば、対象物の着脱作業を容易に行うことができるとともに被取付面から剥がれ落ちにくい構造の取付フックを提供できる。
【図面の簡単な説明】
【００１２】
【図１】本発明の一実施形態に係る取付フックとしての装飾用フック１０を取り付けた建具１の正面図である。
【図２】本実施形態の装飾用フック１０の蓋部５０を閉鎖位置にした様子を示す斜視図である。
【図３】本実施形態の装飾用フック１０の蓋部５０を開放位置にした様子を示す斜視図である。
【図４】本実施形態の装飾用フック１０の本体部２０を正面側から見た斜視図である。
【図５】本実施形態の装飾用フック１０の本体部２０の正面図である。
【図６】本実施形態の装飾用フック１０の本体部２０の右側面図である。
【図７】図５のＡ−Ａ線断面図である。
【図８】図６のＢ−Ｂ線断面図である。
【図９】本実施形態の装飾用フック１０の蓋部５０を背面側から見た斜視図である。
【図１０】本実施形態の装飾用フック１０の蓋部５０の背面図である。
【図１１】本実施形態の装飾用フック１０の蓋部５０の底面図である。
【図１２】図１０のＣ−Ｃ線断面図である。
【図１３】本実施形態の装飾用フック１０の本体部２０の嵌合突起３３が蓋部５０の嵌合穴５７に嵌合している様子を示す拡大断面図である。
【図１４】本実施形態の装飾用フック１０の使用状態を示す正面図である。
【発明を実施するための形態】
【００１３】
以下、本発明の好ましい実施形態について、図面を参照しながら説明する。
図１に示す建具１は、建物の開口部に設けられる玄関ドアである。建具１は、枠体２と枠体２の内側に納められるドア本体３と、枠体２に取り付けられドア本体３を回転可能に支持するヒンジ４と、を備える。ドア本体３の戸先側には、ドアハンドル５やシリンダ錠６等が配置される。
【００１４】
ドア本体３は、被取付面となる表面７が垂直面となっており、この表面７に装飾用フック１０が取り付けられる。装飾用フック１０は、ドア本体３の表面７に取り付けられ、引っ掛けるリース（対象物）１１を引っ掛けて建具１に保持するものである。本実施形態のリース１１は、リース本体１２と、リース本体１２に取り付けられる引っ掛けリング１３と、からなる。
【００１５】
本実施形態の装飾用フック１０について説明する。なお、以下の説明において、装飾用フック１０におけるドア本体３の表面７に接触する側を装飾用フック１０の背面側とし、この背面側の反対側を装飾用フック１０の正面側として説明することがある。
【００１６】
図２及び図３に示すように、本実施形態の装飾用フック１０は、フック部３０が設けられる本体部２０と、本体部２０にスライド可能に取り付けられる蓋部５０と、を主要な構成として備える。本実施形態の本体部２０と蓋部５０は、耐候性のある樹脂材料（例えば、ＡＥＳ樹脂）によって成形されている。
【００１７】
本体部２０の構成について説明する。図４から図６に示すように、本実施形態の本体部２０は表面７への取付面２１０を有する板状部２１と、板状部２１の正面側上部に設けられるスライド支持部２２と、スライド支持部２２の下方に設けられるフック部３０と、を備える。
【００１８】
板状部２１は、正面視において縦長の略長方形状に形成されている。図７に示すように、板状部２１の背面側に位置し、表面７に接触する取付面２１０には接着テープ（図示省略）を設置するための底浅の凹部２１１が形成される。凹部２１１は、板状部２１の形状に応じて背面視において縦長の長方形状となっている。
【００１９】
スライド支持部２２は、板状部２１の正面側に突出している。スライド支持部２２の左右両側にはスライド溝２５がそれぞれ形成される。スライド溝２５は、後述する蓋部５０の爪部５５を嵌合する部位である。スライド溝２５は、スライド支持部２２の両側面に上下方向に延びており、表面７の延びる方向と平行な関係となっている。
【００２０】
図８に示すように、スライド溝２５は、その下部が相対的に深い深溝部２５１と、その上部が相対的に浅い浅溝部２５２と、からなる。また、深溝部２５１と浅溝部２５２の接続部２５３は、傾斜面となっている。浅溝部２５２は、後述する爪部５５を介して蓋部５０を左右方向に拡げることで、当該蓋部５０を開放位置で保持できる深さに設定されている。
【００２１】
本実施形態のスライド支持部２２の中央には正面視矩形の凹部２５５が形成されている。凹部２５５には接着テープを使用しない場合等にビス等の締結部材を打ち込む目印となる円環部２５６が形成される。なお、本実施形態の例では、接着テープによりドア本体３の表面に装飾用フック１０が固定されているので、当該円環部２５６は使用されていない。
【００２２】
スライド支持部２２のスライド溝２５が形成される側壁の正面側端面には上下方向に延びるリブ２５７が形成されている。本実施形態のリブ２５７の上部は、上方に進むにつれてリブ高さが低くなるように傾斜している。蓋部５０は、その背面側がリブ２５７に接触した状態でガタつくことなく滑らかにスライド移動可能になっている。
【００２３】
フック部３０は、上方に開放部３１０を有する側面視で略Ｕ字状に形成される。フック部３０の対象物を引っ掛ける部位は曲面３１となっている。
【００２４】
フック部３０は、その前面が蓋部５０の下端部に係合する係合面３２となっている。係合面３２は、下側に進むにつれて板状部２１の取付面２１０（ドア本体３の表面７）から離れる方向に傾斜している。係合面３２の中央には蓋部５０を嵌合するための球面状の嵌合突起３３が形成される。
【００２５】
次に、蓋部５０の構成について説明する。図９に示すように、蓋部５０は、本体部２０及びフック部３０の正面側を覆う蓋本体５１と、蓋本体５１の背面側の左右両側から立ち上る側壁部５２と、を備える。
【００２６】
図１０及び図１１に示すように、左右の側壁部５２は、その内側面にスライド溝２５に嵌合する爪部５５が形成される。爪部５５は、その下部が下側に進むにつれて側壁部５２の内側面に近づく方向に傾斜している。図１２に示すように、爪部５５は、底面視においてその幅が突出方向の先端側に進むにつれて狭まるように形成されている。
【００２７】
側壁部５２の下端部には略半円状に切り欠かれた切欠部５６が形成される。図２に示すように、側壁部５２の切欠部５６とフック部３０の曲面３１の間の空間にリース１１の引っ掛けリング１３が引っ掛けられる。
【００２８】
蓋部５０の裏面側の下部には、フック部３０の嵌合突起３３が嵌合される嵌合穴５７が形成される。
【００２９】
次に、図１３を参照して蓋部５０と本体部２０の係合について説明する。蓋部５０の開放位置（図２に示す状態）から閉鎖位置（図１に示す状態）への移動過程において、フック部３０の係合面３２の傾斜に対して蓋部５０が乗り上げるように移動する。蓋部５０の下端部が嵌合突起３３に接触する位置まで移動すると、球面状の嵌合突起３３を乗り越え、やがて嵌合突起３３が嵌合穴５７に入り込んで蓋部５０と本体部２０が係合状態になる。この係合面３２の傾斜によって本体部２０と蓋部５０のガタつきも抑制され、本体部２０と蓋部５０の係合状態も良好に維持される。
【００３０】
リース１１を着脱する際は蓋部５０とフック部３０の係合状態を解除して蓋部５０を閉鎖位置に移動させる。これによってフック部３０の開放部３１０が開放され、リース１１の着脱が可能になる。リース１１を引っ掛けていない状態では蓋部５０を閉鎖位置に移動させる。図１４の正面視に示すように、閉鎖位置にある蓋部５０は、本体部２０の前面を覆っており、フック部３０等の継ぎ目もほとんど見えず、装飾用フック１０のシンプルな美観が実現されている。
【００３１】
以上説明した本実施形態によれば、以下のような効果を奏する。
本実施形態の装飾用フック１０は、ドア本体３の表面７に取り付け可能な本体部２０と、リース１１の引っ掛けリング１３を通す開放部３１０を有するように本体部２０から延びるフック部３０と、本体部２０に取り付けられ、開放部３１０を閉じる閉鎖位置と開放部３１０を開放する開放位置との間をドア本体３の表面７に沿ってスライド移動可能な蓋部５０と、を備える。
【００３２】
これにより、蓋部５０を開放位置に移動させることにより、リース１１の引っ掛けリング１３がフック部３０から抜け落ちなくなり、リース１１を安定的にドア本体３の表面７に引っ掛けて保持できる。また、蓋部５０の移動方向がドア本体３の表面７に沿った方向なので、ドア本体３の表面７に直交する方向（見込方向）で装飾用フック１０をドア本体３から引き剥がす力が掛からない。従って、蓋部５０の移動によって装飾用フック１０がドア本体３の表面７から剥がれ落ちるような事態の発生を効果的に防止できる。
【００３３】
また、本実施形態の装飾用フック１０は、蓋部５０を開放位置で保持する開放位置用ストッパとしてスライド溝２５及び爪部５５を備える。
【００３４】
これにより、蓋部５０を開放位置で保持させることができるので、蓋部５０を手で支えておく必要もなく、リース１１の引っ掛けリング１３をフック部３０の開放部３１０を通じて曲面３１に引っ掛ける作業を容易に行うことができる。従来技術のように、ストッパ部を深く押し込む必要もないので、装飾用フック１０に不要な力が掛かることもなく、本体部２０とドア本体３の表面７との取付状態を良好に維持することができる。
【００３５】
開放位置用ストッパを構成する一対のスライド溝２５は本体部２０側に設けられ、スライド溝２５に嵌合する一対の爪部５５は蓋部５０側に設けられる。スライド溝２５は開放位置で蓋部５０が爪部５５を介してスライド方向に交差する方向（左右方向）で押し広げられるように、浅溝部２５２の溝深さが設定される。
【００３６】
これにより、爪部５５を介して蓋部５０を弾性変形させることにより、開放位置で蓋部５０を保持することができ、シンプルな構造の開放位置用ストッパを実現できる。
【００３７】
また、本実施形態の装飾用フック１０は、蓋部５０及びフック部３０を閉鎖位置で係合する閉鎖位置用ストッパとしてフック部３０側の嵌合突起３３及び蓋部５０側の嵌合穴５７を備える。
【００３８】
これにより、蓋部５０の閉鎖状態が保持されるので、フック部３０からリース１１の引っ掛けリング１３が脱落する事態の発生を確実に防止することができる。
【００３９】
また、本実施形態の蓋部５０は、閉鎖位置でフック部３０の前面を覆うように形成される。
【００４０】
これにより、フック部３０が蓋部５０に隠れた状態となるので、装飾用フック１０に対象物を何も引っ掛けていない状態であったとしても、ドア本体３のデザイン性を損なうこともなく、建具１全体のまとまりある意匠性を実現することができる。
【００４１】
以上、本発明の好ましい実施形態について説明したが、本発明は、上述の実施形態に制限されるものではなく、適宜変更が可能である。
【００４２】
上記実施形態では、爪部５５が蓋部５０に設けられ、スライド溝２５が本体部２０側に設けられているが、爪部を本体部側に設け、これに対応するスライド溝を蓋部側に設ける構成としてもよい。
【００４３】
上記実施形態では、蓋部５０のスライド方向は上下方向であるが、この方向に限定されない。蓋部５０のスライド方向は、ドア本体３の表面７に沿った方向であればよく、左右方向に蓋部を移動させる構成としてもよい。
【００４４】
上記実施形態では、開放位置用ストッパとして、蓋部５０が爪部５５を介してスライド方向に交差する方向（左右方向）で押し広げられるように、浅溝部２５２の溝深さを設定したが、スライド溝２５の幅を閉鎖位置から開放位置につれて徐々に細くすることで、爪部５５を介して蓋部５０を保持する構成としてもよい。
【符号の説明】
【００４５】
７  表面（被取付面）
１０  装飾用フック（取付フック）
２０  本体部
２５  スライド溝（開放位置用ストッパ）
３０  フック部
３３  嵌合突起
５０  蓋部
５５  爪部（開放位置用ストッパ）
５７  嵌合穴
【図１】
2018096431.tif 000003
【図２】
2018096431.tif 000004
【図３】
2018096431.tif 000005
【図４】
2018096431.tif 000006
【図５】
2018096431.tif 000007
【図６】
2018096431.tif 000008
【図７】
2018096431.tif 000009
【図８】
2018096431.tif 000010
【図９】
2018096431.tif 000011
【図１０】
2018096431.tif 000012
【図１１】
2018096431.tif 000013
【図１２】
2018096431.tif 000014
【図１３】
2018096431.tif 000015
【図１４】
2018096431.tif 000016